(57)【要約】【課題】故障履歴の消去を容易に行うことができる飲料供給装置を提供する。【解決手段】飲料供給装置１は、動作履歴を記録する記憶部８２と、飲料の供給を制御する制御部８１と、利用者の操作を受け付ける操作部と、を有している。制御部８１は、故障を判定した場合に、記憶部８２に故障履歴を記録する一方、操作部に対して、予め定められた消去操作が行われた場合に、記憶部８２から故障履歴を消去する。【選択図】図２
2020063055.tif 000002
【特許請求の範囲】
【請求項１】
給水ノズルから飲料を供給する飲料供給装置において、
動作履歴を記録する記憶部と、
飲料の供給を制御する制御部と、
利用者の操作を受け付ける操作部と、を有し、
前記制御部は、
故障を判定した場合に、前記記憶部に故障履歴を記録し、
前記操作部に対して、予め定められた消去操作が行われた場合に、前記記憶部から故障履歴を消去する
飲料供給装置。
【請求項２】
前記制御部は、
前記記憶部に故障履歴が記録された場合には、通常動作モードを禁止して機能の一部又は全部を制限し、
前記記憶部から故障履歴が消去された場合に、前記通常動作モードを許可する
請求項１記載の飲料供給装置。
【請求項３】
前記消去操作は、所定の期間に亘って前記操作部への操作が継続されることである
請求項１又は２記載の飲料供給装置。
【請求項４】
前記制御部は、電源投入に基づき初期動作を実行し、
前記消去操作は、前記初期動作の開始から前記初期動作の終了までの期間に亘って前記操作部への操作が継続されることである
請求項３記載の飲料供給装置。
【発明の詳細な説明】
【技術分野】
【０００１】
本発明は、飲料供給装置に関する。
【背景技術】
【０００２】
給水ノズルから水を供給するウォーターサーバーが従来より提案されている。ウォーターサーバーは、冷水を供給（出水）する冷水機能、温水を供給（出水）する温水機能、又は常温水を供給（出水）する常温水機能といった各種の機能を備えている。ウォーターサーバーには、フラッシュメモリ等の記憶部が搭載されており、この記憶部には動作履歴が記録されている（例えば特許文献１参照）。動作履歴は、ウォーターサーバーの動作に関する履歴情報であり、動作時間、各機能の実行回数、故障履歴等がこれに該当する。
【０００３】
動作履歴の一つである故障履歴は、故障の発生に基づいて記録される。故障が解消されない限り、故障履歴が消去されることはない。故障履歴が記録されている場合、電源投入がなされても、装置は故障動作モードとなる。そのため、故障の解消には、故障部品の交換等の故障対応の他に、故障履歴の消去が必要となる。故障履歴の消去は、保守管理者が所有する専用治具（コンピューター）をウォーターサーバーに接続した上で、専用治具を用いて行う必要がある。
【先行技術文献】
【特許文献】
【０００４】
【特許文献１】特開２０１７−１１４４９０号公報
【発明の概要】
【発明が解決しようとする課題】
【０００５】
しかしながら、従来の手法にあっては、故障対応の他に、専用治具による故障履歴の消去作業が必要となる。そのため、専用治具を携行しなければならず、加えて、専用治具の取り付け及びその取り外しといった作業が増え、作業効率が悪いという不都合がある。
【０００６】
本発明はかかる事情に鑑みてなされたものであり、その目的は、故障履歴の消去を容易に行うことができる飲料供給装置を提供することである。
【課題を解決するための手段】
【０００７】
かかる課題を解決するために、本発明は、給水ノズルから飲料を供給する飲料供給装置を提供する。この飲料供給装置は、動作履歴を記録する記憶部と、飲料の供給を制御する制御部と、利用者の操作を受け付ける操作部と、を有し、制御部は、故障を判定した場合に、記憶部に故障履歴を記録し、操作部に対して、予め定められた消去操作が行われた場合に、記憶部から故障履歴を消去する。
【０００８】
ここで、本発明において、制御部は、記憶部に故障履歴が記録された場合には、通常動作モードを禁止して機能の一部又は全部を制限し、記憶部から故障履歴が消去された場合に、通常動作モードを許可することが好ましい。
【０００９】
また、本発明において、消去操作は、所定の期間に亘って操作部への操作が継続されることであることが好ましい。
【００１０】
また、本発明において、制御部は、電源投入に基づき初期動作を実行し、消去操作は、初期動作の開始から初期動作の終了までの期間に亘って操作部への操作が継続されることであることが好ましい。
【発明の効果】
【００１１】
本発明の飲料供給装置によれば、専用治具を用いることなく、故障履歴の消去を容易に行うことができる。
【図面の簡単な説明】
【００１２】
【図１】本実施形態に係る飲料供給装置の外観を示す斜視図
【図２】本実施形態に係る飲料供給装置のシステム構成を示すブロック図
【図３】操作パネルの正面図
【図４】記憶部に記憶される動作履歴の説明図
【図５】飲料供給装置に動作を示すフローチャート
【図６】飲料供給装置の動作の変形例を示すフローチャート
【図７】飲料供給装置の動作の変形例を示すフローチャート
【図８】飲料供給装置の動作の変形例を示すフローチャート
【発明を実施するための形態】
【００１３】
以下、本実施形態に係る飲料供給装置１について説明する。ここで、図１は、本実施形態に係る飲料供給装置１の外観を示す斜視図である。また、図２は、本実施形態に係る飲料供給装置１のシステム構成を示すブロック図である。
【００１４】
本実施形態に係る飲料供給装置１は、飲料ボトル５から取り入れた水を給水ノズル２０から供給するウォーターサーバーである。飲料供給装置１は、装置本体である筐体１０と、給水ノズル２０と、操作パネル３０とを備えている。
【００１５】
筐体１０は、その内部に、ヒーター４０により加熱される水（温水）が貯留される温水タンク（図示せず）、冷却機構４５により冷却される水（冷水）が貯留される冷水タンク（図示せず）、及び各種の配管（図示せず）を備えている。各種の配管により、飲料ボトル５に貯留された水が筐体１０の内部へと取り入れられ、温水タンク又は冷水タンクへと供給される。また、各種の配管により、温水タンク内の温水、冷水タンク内の冷水又は飲料ボトル５から取り入れられた水（常温水）が給水ノズル２０へと供給される。
【００１６】
筐体１０の正面（前面）１０ａの中央部には、所要の大きさを備える筐体開口１０ａ１が設けられている。筐体開口１０ａ１には、化粧パネル１１が配設されている。
【００１７】
化粧パネル１１の上部には、膨出部１２が設けられている。膨出部１２は、上側から下側にかけて筐体１０の手前側に向かって傾斜する面形状として構成されている。膨出部１２の表面には、操作パネル３０が配設されている。
【００１８】
また、膨出部１２よりも下側には、上側から下側にかけて筐体１０の奥側に向かって傾斜する傾斜壁部１３と、当該傾斜壁部１３の下側に連設されて、上下方向に延在する縦壁部１４とが設けられている。傾斜壁部１３と、縦壁部１４と、筐体１０をなす左右の側面１０ｂ，１０ｃとにより、給水ノズル２０から供給される水を受けるための給水空間Ｓが形成される。
【００１９】
給水空間Ｓの下端には、コップ等の容器を載置したり、容器から溢れた水を受け止めたりするためのドリップトレイ１５が配置されている。飲料供給装置１の使用時には、ドリップトレイ１５上の所定位置に容器を置き、操作パネル３０に対して所定の給水操作を行うことで、給水ノズル２０から供給される水を容器で受けることができる。また、容器を手に持ったまま、後述する第２給水スイッチ３５を押し操作することで、給水ノズル２０から供給される水を容器で受けることができる。
【００２０】
筐体１０の上部には、ボトル載置部１６が設けられている。ボトル載置部１６には、水が貯留された飲料ボトル５を載置することができる。ボトル載置部１６に載置された飲料ボトル５内の水は、装置周囲の温度に応じた常温となる。
【００２１】
給水ノズル２０は、冷水、温水又は常温水を供給（出水）するためのものである。傾斜壁部１３には開口部が設けられており、この開口部には、先端部が下向きに突き出すように、給水ノズル２０が配置されている。給水ノズル２０の周囲は、保護カバー２１により覆われている。給水ノズル２０は、筐体１０内に収容された配管の最下流に接続されている。もっとも、給水ノズル２０は、配管の一部を流用することも可能である。
【００２２】
操作パネル３０は、膨出部１２の表面に配設されている。操作パネル３０は、飲料供給装置１に対する利用者の操作を受け付けたり、飲料供給装置１に関する情報を表示したりする。利用者は、操作パネル３０に対して操作を行うことで飲料供給装置１が備える複数の機能の中から所望の機能を選択したり、選択した機能を実行したりすることができる。また、利用者は、操作パネル３０上の情報を視認することで、飲料供給装置１が備える機能を認識したり、現在どの機能が選択されているかを認識したりすることができる。
【００２３】
図３は、操作パネル３０の正面図である。操作パネル３０は、パネル操作部３１と、表示部３２とを備えている。
【００２４】
パネル操作部３１は、飲料供給装置１が備える機能を操作するための、利用者からの操作を受け付ける操作部である。パネル操作部３１は、ジョグダイヤル３１ａと、給水決定スイッチ３１ｂと、ロック解除スイッチ３１ｃとを備えている。
【００２５】
表示部３２は、飲料供給装置１が備える複数の機能を表示するとともに、現在選択されている機能を表示するものである。本実施形態に係る飲料供給装置１は、ユーザーが選択することができる機能として、冷水機能、温水機能、常温水機能、省エネ機能、クリーニング機能、加熱機能及び警報機能を含む７つの機能を備えている。表示部３２は、これらの７つの機能と対応して、冷水表示部３２ａ、温水表示部３２ｂ、常温水表示部３２ｃ、省エネ表示部３２ｄ、クリーニング表示部３２ｅ、加熱表示部３２ｆ及び水分補給表示部（警報表示部）３２ｇを備えている。個々の表示部３２ａ〜３２ｇは、操作パネル３０上に描画されたアイコンと、操作パネル３０の裏面に配置されて、当該操作パネル３０を透過照明する光源（図示せず）とで構成されている。光源としては、例えばＬＥＤを用いることができる。
【００２６】
ジョグダイヤル３１ａは、円筒形状の操作部材（ダイヤルスイッチ）であり、表示部３２ａ〜３２ｇによって示される各種の機能を選択するための操作部である。ジョグダイヤル３１ａは、その中心軸を中心に回転可能に操作パネル３０上に配置され、回転操作を行うことができる。ジョグダイヤル３１ａの周囲には、各機能の表示部３２ａ〜３２ｇが周方向に沿って所定のピッチで配置されている。ジョグダイヤル３１ａを回転操作し、複数の表示部３２ａ〜３２ｇの中から１つの表示部３２ａ〜３２ｇを選択することで、その表示部３２ａ〜３２ｇに対応する機能を選択することができる。また、ジョグダイヤル３１ａにより選択された表示部３２ａ〜３２ｇは、光源が点灯し、他の表示部３２ａ〜３２ｇは、光源が消灯する。
【００２７】
給水決定スイッチ３１ｂは、ジョグダイヤル３１ａにより選択されている機能を実行するための操作部である。給水決定スイッチ３１ｂは、指で押している間だけオンになり、指を離すとオフとなるモーメンタリスイッチである。例えば冷水表示部３２ａが選択されているときに給水決定スイッチ３１ｂが操作されると、冷水を供給する冷水機能が実行される。これにより、給水ノズル２０から冷水が供給される。温水表示部３２ｂ又は常温水表示部３２ｃが選択されているときも同様で、給水決定スイッチ３１ｂが操作されると、温水を供給する温水機能又は常温水を供給する常温水機能が実行される。これにより、給水ノズル２０から温水又は常温水が供給される。
【００２８】
また、省エネ表示部３２ｄが選択されているときに給水決定スイッチ３１ｂが操作されると、省エネ機能が実行される。省エネ機能は、飲料供給装置１を省エネモードで運転させる機能である。省エネ機能が実行されると、冷水タンク内の冷水温度を標準温度よりも上げる処理及び温水タンク内の温水温度を標準温度よりも下げる処理の少なくとも一方が実施され、電力消費の抑制が図られる。
【００２９】
クリーニング表示部３２ｅが選択されているときに給水決定スイッチ３１ｂが操作されると、クリーニング機能が実行される。クリーニング機能は、筐体１０内の配管、冷水タンク及び温水タンクをクリーニングさせる機能である。クリーニング機能が実行されると、冷水タンク内の冷水を殺菌するためのＵＶ−ＬＥＤ（紫外線ＬＥＤ）ライトを点灯させる処理が実施され、これにより冷水タンクの殺菌が行われる。なお、クリーニング機能は、この方法に限られるものではなく、配管、冷水タンク及び温水タンク内で温水を循環させるものであってもよいし、その他の方法であってもよい。
【００３０】
加熱表示部３２ｆが選択されているときに給水決定スイッチ３１ｂが操作されると、加熱機能が実行される。加熱機能は、温水タンク内の温水の加熱を行う機能である。加熱機能が実行されると、例えば通常は８０℃程度の温水タンク内の温水を９０℃以上に昇温させる処理が実施される。
【００３１】
水分補給表示部３２ｇが選択されているときに給水決定スイッチ３１ｂが操作されると、警報機能が実行される。警報機能は、飲料供給装置１を熱中症警告モードで運転させる機能である。警報機能が実行されると、飲料供給装置１が熱中症の可能性を判断して警告を行う処理が実施され、利用者に水分摂取を促すことができる。
【００３２】
ロック解除スイッチ３１ｃは、いわゆるチャイルドロック状態を解除するための操作部である。ロック解除スイッチ３１ｃは、指で押している間だけオンになり、指を離すとオフとなるモーメンタリスイッチである。チャイルドロック状態とは、温水表示部３２ｂが選択されているときに給水決定スイッチ３１ｂが操作されても温水機能の実行を禁止する状態である。このロック解除スイッチ３１ｃが特定時間（例えば３秒）連続して長押しされることにより、チャイルドロック状態が解除される。
【００３３】
なお、チャイルドロック状態は、温水機能の実行禁止に限らず、冷水機能や常温水機能の実行禁止に適用してもよい。さらに、チャイルドロック状態は、他の機能の実行禁止に適用してもよい。
【００３４】
また、飲料供給装置１は、第２給水スイッチ３５、完全ロックスイッチ３６及びヒーター制御スイッチ３７を備えている。これらのスイッチ３５〜３７は、飲料供給装置１が備える機能を操作するための、利用者からの操作を受け付ける操作部に相当する。
【００３５】
第２給水スイッチ３５は、冷水機能又は常温水機能を実行するための操作部である。第２給水スイッチ３５は、化粧パネル１１の縦壁部１４に設けられており、手で押している間だけオンになり、手を離すとオフとなるモーメンタリスイッチである。例えばジョグダイヤル３１ａにおいて冷水表示部３２ａが選択されているときに、第２給水スイッチ３５が操作されると、冷水を供給する冷水機能が実行される。これにより、給水ノズル２０から冷水が供給される。常温水表示部３２ｃが選択されているときも同様で、第２給水スイッチ３５が操作されると、常温水を供給する常温水機能が実行される。これにより、給水ノズル２０から常温水が供給される。
【００３６】
完全ロックスイッチ３６は、操作パネル３０及び第２給水スイッチ３５に対する操作が無効となる完全ロックの実行、解除を切り替えるための操作部である。完全ロックスイッチ３６は、筐体１０の裏面（後面）に設けられている。完全ロックスイッチ３６は、押し操作されるたびにオンオフが切り替わるオルタネイトスイッチである。すなわち、完全ロックスイッチ３６は、指で押してオンになると、その後オンを継続し、再度指で押すとオフとなり、その後オフを継続する。完全ロックスイッチ３６をオンすることで、完全ロックが実行され、完全ロックスイッチ３６がオフとなるまで完全ロックは解除されない。完全ロックが実行されると、操作パネル３０（パネル操作部３１）及び第２給水スイッチ３５に対する操作が無効となるモードへと切り替わる。
【００３７】
ヒーター制御スイッチ３７は、ヒーター４０の動作状態を切り替えるための操作部である。ヒーター制御スイッチ３７は、筐体１０の裏面（後面）に設けられている。ヒーター制御スイッチ３７は、押し操作されるたびにオンオフが切り替わるオルタネイトスイッチである。ヒーター制御スイッチ３７をオンすることで、後述する制御装置８０によるヒーター４０のオンオフ制御が可能となり、ヒーター制御スイッチ３７がオフとなるまでこの状態が継続される。一方、ヒーター制御スイッチ３７をオフすると、制御装置８０の制御指令に拘わらず、ヒーター４０はオフで固定となる。
【００３８】
さらに、飲料供給装置１は、温水温度センサー４２と、冷水温度センサー４７と、電磁弁６０と、音声出力部７０と、制御装置８０とを備えている。
【００３９】
温水温度センサー４２は、温水タンク内の温水の温度を検知する検知手段である。温水温度センサー４２は、例えばサーミスタ等を用いて温度を測定する電子素子を利用したセンサーである。
【００４０】
冷水温度センサー４７は、冷水タンク内の冷水の温度を検知する検知手段である。冷水温度センサー４７は、例えばサーミスタ等を用いて温度を測定する電子素子を利用したセンサーである。
【００４１】
電磁弁６０は、給水ノズル２０からの水の供給を制御する。電磁弁６０は、開弁状態において給水ノズル２０からの水の供給（出水）を許可し、閉弁状態において給水ノズル２０からの水の供給（出水）を停止する。この電磁弁６０は、冷水タンクからの冷水の供給を制御する冷水電磁弁と、温水タンクからの温水の供給を制御する温水電磁弁と、常温水の供給を制御する常温水電磁弁とを含んでいる。
【００４２】
音声出力部７０は、筐体１０の周囲に所定の音声を出力するものであり、スピーカー及び音声ＩＣ等を備えている。音声出力部７０により、飲料供給装置１に関する各種の音声、警報音等が出力される。
【００４３】
制御装置８０は、飲料供給装置１の制御を行う。制御装置８０は、制御部８１及び記憶部８２を有している。
【００４４】
制御部８１は、飲料供給装置１内の各種構成を統括的に制御するものであり、ＣＰＵ等のプロセッサを備えている。制御部８１は、パネル操作部３１、第２給水スイッチ３５、完全ロックスイッチ３６及びヒーター制御スイッチ３７からの操作信号、並びに、温水温度センサー４２、冷水温度センサー４７及び装置周辺の温度・湿度を検出する温湿度センサー（図示せず）を含む各種センサーからのセンサー信号等に基づいて、表示部３２、ヒーター４０、冷却機構４５、電磁弁６０及び音声出力部７０を制御する。制御部８１の制御により、（１）温水タンク内の温水を所定の温度に調整したり、（２）冷水タンク内の冷水を所定の温度に調整したり、（３）冷水、温水及び常温水のいずれかを給水ノズル２０から供給（出水）したりすることができる。
【００４５】
記憶部８２は、各種のデータ及びプログラムを記憶するものであり、ＲＯＭ、フラッシュメモリ等を備えている。記憶部８２には、動作履歴が記録される。動作履歴は、飲料供給装置１の動作に関する履歴を示すものである。図４に示すように、動作履歴としては、飲料供給装置１の動作時間、冷水供給回数、常温水供給回数、温水供給回数等が挙げられる。また、動作履歴には、故障履歴が含まれる。
【００４６】
本実施形態との関係において、制御部８１は、装置内の各要素の状態を監視し、これら要素の状態が予め定められた故障条件に該当する場合には、飲料供給装置１の故障を判定する。制御部８１は、故障を判定した場合、記憶部８２に故障履歴を記録する。例えば、制御部８１は、動作履歴を構成する「故障履歴」の項目を「無」から「有」へと更新するといった如くである。一方、制御部８１は、予め定められた消去操作が行われた場合に、記憶部８２から故障履歴を消去する。例えば、制御部８１は、「故障履歴」の項目を「有」から「無」へと更新するといった如くである。
【００４７】
また、制御部８１は、故障を判定した場合、すなわち、記憶部８２に故障履歴が記録された場合には、通常動作モードを禁止して、飲料供給装置１が備える機能を制限した故障動作モードに切り替える。ここで、通常動作モードとは、飲料供給装置１が備える機能の全部を実行可能な動作モードをいう。また、故障動作モードは、飲料供給装置１が備える機能の一部又は全部を制限した動作モードをいう。
【００４８】
記憶部８２に故障履歴が一旦記録されると、故障履歴が消去されるまでは、制御部８１は、故障動作モードを実行する。故障履歴が記録された状態では、電源投入が再度なされた場合であっても、制御部８１は、故障動作モードを実行する。一方、記憶部８２から故障履歴が消去された後に電源投入が再度なされた場合、制御部８１は、通常動作モードへの復帰を許可する。
【００４９】
次に、本実施形態に係る飲料供給装置１の動作について説明する。図５は、飲料供給装置１の動作を示すフローチャートである。このフローチャートは、記憶部８２から故障履歴を消去するための処理を示しており、飲料供給装置１への電源投入をトリガーとして制御部８１により実行される。
【００５０】
まず、ステップＳ１０において、制御部８１は、初期動作を開始する。初期動作は、電源投入後に必ず実行される処理であり、飲料供給装置１がその機能に従って動作するために必要な各種の処理を含んでいる。すなわち、初期動作は、通常動作モード、故障動作モードに拘わらず、これらの動作モードに先立ち、電源投入後に必ず実行されることとなる。
【００５１】
初期動作では、例えば、フラッシュメモリ制御、ロック設定、音量設定、音声ＩＣのリセット解除を含む処理が行われる。フラッシュメモリ制御は、記憶部８２を構成するフラッシュメモリから、設定データ及び動作履歴を読み込んだり、これらのデータを利用してフラッシュメモリの故障判定を行ったりする処理である。ロック設定は、制御部８１に接続されたディップスイッチ（図示せず）のＨｉ、Ｌｏｗを判定し、チャイルドロック設定を行う処理である。音量設定は、制御部８１に接続されたディップスイッチのＨｉ、Ｌｏｗを判定し、音声出力部７０の音量設定を行う処理である。
【００５２】
また、制御部８１は、初期動作の開始と同時に、操作パネル３０の表示部３２の全部を一定時間だけ点灯する。
【００５３】
ステップＳ１１において、制御部８１は、第２給水スイッチ３５が操作されているか、すなわち、第２給水スイッチ３５がオンであるか否かを判断する。第２給水スイッチ３５がオンである場合には、ステップＳ１１において肯定判定され、ステップＳ１２に進む。一方、第２給水スイッチ３５がオフである場合には、ステップＳ１１において否定判定され、ステップＳ１４に進む。
【００５４】
ステップＳ１２において、制御部８１は、初期動作が終了したか否かを判断する。初期動作は、電源投入から所定の時間（例えば約５秒）経過後に終了する。初期動作が終了した場合には、ステップＳ１２において肯定判定され、音声出力部７０から所定の音声（例えば「ピッ」の音）を出力した上で、ステップＳ１３に進む。一方、初期動作が終了していない場合には、ステップＳ１２において否定判定され、ステップＳ１１に戻る。なお、初期動作は、これに関する全ての処理、具体的には、フラッシュメモリ制御、ロック設定、音量設定及び音声ＩＣのリセット解除が終了したタイミングで終了してもよい。
【００５５】
ステップＳ１３において、制御部８１は、記憶部８２（動作履歴）から故障履歴を消去する。具体的には、制御部８１は、動作履歴のうち「故障履歴」の項目を「有」から「無」へと更新する。
【００５６】
ステップＳ１４において、制御部８１は、故障履歴の消去判定を停止する。
【００５７】
ステップＳ１５において、制御部８１は、初期動作が終了したか否かを判断する。この判断は、ステップＳ１２の処理と同様である。初期動作が終了した場合には、音声出力部７０から所定の音声（例えば「ピッ」の音）を出力した上で、本ルーチンを終了する。一方、初期動作が終了していない場合には、ステップＳ１５において否定判定され、ステップＳ１５に戻る。
【００５８】
このように本実施形態において、制御部８１は、故障を判定した場合に、記憶部８２に故障履歴を記録する。一方、制御部８１は、第２給水スイッチ３５に対して、予め定められた消去操作が行われた場合に、記憶部８２から故障履歴を消去している。具体的には、制御部８１は、初期動作の開始からその終了までの期間に亘って第２給水スイッチ３５への操作（押し操作）が継続された場合に、記憶部８２から故障履歴を消去している。
【００５９】
この構成によれば、飲料供給装置１に搭載された、利用者の操作を受け付けるインターフェース（操作部）を操作することで、記憶部８２から故障履歴を消去することができる。専用治具を利用する必要がないので、故障履歴の消去を簡単に行うことができる。また、専用治具の取り付け、取り外し等の作業がないので、作業効率の向上を図ることができる。
【００６０】
また、本実施形態において、制御部８１は、記憶部８２に故障履歴が記録されている場合には、通常動作モードを禁止して、機能の一部又は全部を制限している。そして、制御部８１は、記憶部８２から故障履歴が消去された場合に、通常動作モードを許可している。
【００６１】
この構成によれば、第２給水スイッチ３５の操作により、故障履歴を簡単に消去することができるので、簡単な操作で通常動作モードへの復帰を図ることができる。これにより、故障時における復帰作業の短縮を図り、飲料供給装置１の本来の機能を速やかに利用することができる。
【００６２】
なお、上述した実施形態では、第２給水スイッチ３５を操作することで、故障履歴を消去する方法について説明した。しかしながら、故障履歴の消去は、第２給水スイッチ３５に限らず、飲料供給装置１が備える他の操作部、具体的には、ジョグダイヤル３１ａ、給水決定スイッチ３１ｂ、ロック解除スイッチ３１ｃ、完全ロックスイッチ３６及びヒーター制御スイッチ３７のいずれを用いるものであってもよい。もっとも、上述した故障履歴の消去方法においては、初期動作の開始からその終了までの期間に亘って継続的な操作を判定する必要があるため、第２給水スイッチ３５と同じモーメンタリスイッチであるロック解除スイッチ３１ｃ又は給水決定スイッチ３１ｂを用いることが好ましい。
【００６３】
また、本実施形態では、飲料供給装置１が備える複数の操作部のうち、１つの操作部を単独で操作することで、故障履歴を消去する方法について説明した。しかしながら、複数の操作部のうち、２つ以上の操作部を操作して、故障履歴を消去するものであってもよい。以下、複数の操作部を用いる代表的な方法について説明する。
【００６４】
以下、第１の代表的な方法について説明する。図６は、飲料供給装置１の動作の変形例を示すフローチャートである。このフローチャートは、記憶部８２から故障履歴を消去するための処理を示しており、飲料供給装置１への電源投入をトリガーとして制御部８１により実行される。この変形例に示すステップＳ２０，Ｓ２２〜Ｓ２５の各処理は、図５に示すステップＳ１０，Ｓ１２〜Ｓ１５の各処理に対応している。以下、相違する処理について説明する。
【００６５】
ステップＳ２１において、制御部８１は、給水決定スイッチ３１ｂ及び第２給水スイッチ３５の両方が操作されているか、すなわち、給水決定スイッチ３１ｂ及び第２給水スイッチ３５がそれぞれオンであるか否かを判断する。給水決定スイッチ３１ｂ及び第２給水スイッチ３５がそれぞれオンである場合には、ステップＳ２１において肯定判定され、ステップＳ２２に進む。一方、給水決定スイッチ３１ｂ及び第２給水スイッチ３５の一方又は両方がオフである場合には、ステップＳ２１において否定判定され、ステップＳ２４に進む。
【００６６】
このように図６に示す変形例では、初期動作の開始から初期動作の終了までの期間に亘って、給水決定スイッチ３１ｂ及び第２給水スイッチ３５への操作が継続された場合に、記憶部８２から故障履歴が消去されることとなる。
【００６７】
以下、第２の代表的な方法について説明する。図７は、飲料供給装置１の動作の変形例を示すフローチャートである。このフローチャートは、記憶部８２から故障履歴を消去するための処理を示しており、飲料供給装置１への電源投入をトリガーとして制御部８１により実行される。この変形例に示すステップＳ３０〜Ｓ３２，Ｓ３４〜３６の各処理は、図５に示すステップＳ１０〜Ｓ１２，Ｓ１３〜Ｓ１５の各処理に対応している。以下、相違する処理について説明する。
【００６８】
ステップＳ３２において肯定判定されると、ステップＳ３３に進む。ステップＳ３３において、制御部８１は、初期動作の開始からその終了までの間に、ジョグダイヤル３１ａが操作されたか否かを判断する。初期動作の間にジョグダイヤル３１ａが操作された場合には、ステップＳ３３において肯定判定され、ステップＳ３４に進む。一方、初期動作の間にジョグダイヤル３１ａが操作されなかった場合には、ステップＳ３３において否定判定され、本ルーチンを終了する。
【００６９】
このように図７に示す変形例では、初期動作の開始から初期動作の終了までの期間に亘って、第２給水スイッチ３５への操作が継続され、かつ、当該期間においてジョグダイヤル３１ａが操作された場合に、記憶部８２から故障履歴が消去されることとなる。
【００７０】
以下、第３の代表的な方法について説明する。図８は、飲料供給装置１の動作の変形例を示すフローチャートである。このフローチャートは、記憶部８２から故障履歴を消去するための処理を示しており、完全ロックスイッチ３６がオフされたことをトリガーとして制御部８１により実行される。
【００７１】
まず、ステップＳ４０において、制御部８１は、給水決定スイッチ３１ｂ及び第２給水スイッチ３５の両方が操作されているか、すなわち、給水決定スイッチ３１ｂ及び第２給水スイッチ３５がそれぞれオンであるか否かを判断する。給水決定スイッチ３１ｂ及び第２給水スイッチ３５がそれぞれオンである場合には、ステップＳ４０において肯定判定され、ステップＳ４１に進む。一方、給水決定スイッチ３１ｂ及び第２給水スイッチ３５の一方又は両方がオフである場合には、ステップＳ４０において否定判定され、本ルーチンを抜ける。
【００７２】
ステップＳ４１において、制御部８１は、給水決定スイッチ３１ｂ及び第２給水スイッチ３５がオンされてからの経過時間（オン経過時間）が、所定の判定期間（例えば１分）に到達したか否を判断する。オン経過時間が判定期間に到達した場合には、ステップＳ４１において肯定判定され、ステップＳ４２に進む。一方、オン経過時間が判定期間に到達していない場合には、ステップＳ４１において否定判定され、ステップＳ４０に戻る。
【００７３】
ステップＳ４２において、制御部８１は、記憶部８２（動作履歴）から故障履歴を消去する。具体的には、制御部８１は、動作履歴のうち「故障履歴」の項目を「有」から「無」へと更新する。
【００７４】
このように図８に示す変形例では、完全ロックスイッチ３６がオフの状態で、所定の判定期間に亘って、給水決定スイッチ３１ｂ及び第２給水スイッチ３５への操作が継続された場合に、記憶部８２から故障履歴が消去されることとなる。
【００７５】
このような変形例に示す方法によれば、飲料供給装置１に搭載された、利用者の操作を受け付けるインターフェース（操作部）を操作することで、記憶部８２から故障履歴を消去することができる。このため、専用治具を利用する必要がないので、故障履歴の消去を簡単に行うことができる。また、保守管理者にとっては、専用治具の取り付け、取り外し等の作業がないので、作業効率の向上を図ることができる。
【００７６】
また、２つ以上の操作部を操作する必要があるので、利用者が誤って故障履歴を消去することを抑制することができる。
【００７７】
加えて、図８に示す方法では、初期動作の期間に限らず、完全ロックスイッチ３６をオフした上で所定の操作を行うことで、記憶部８２から故障履歴を消去することができる。これにより、電源投入に基づく初期動作に限らず、任意のタイミングで、故障履歴を消去することができる。
【００７８】
以上、実施形態に基づき本発明を説明したが、本発明は上記実施形態に限られるものではなく、本発明の趣旨を逸脱しない範囲で変更を加えてもよい。
【００７９】
例えば、本実施形態に係る飲料供給装置は、飲料ボトルからの水を供給するウォーターサーバーである。しかしながら、本発明は、ウォーターサーバーに限らず、水以外の清涼飲料水、コーヒー、お茶等の他の種類の飲料を供給するものであってもよいし、複数種の飲料を供給するものであってもよい。
【００８０】
また、本実施形態に係る飲料供給装置は、筐体の上部に飲料ボトルが載置されるものであるが、これに限らず、筐体の内部の下部等に飲料ボトルを収容するタイプのものであってもよい。
【００８１】
また、本実施形態では、記憶部から故障履歴が消去された後に、電源投入が再度なされた場合に、通常動作モードを許可している。しかしながら、電源の再投入を待つことなく、記憶部から故障履歴が消去された時に、通常動作モードを許可するものであってもよい。
【符号の説明】
【００８２】
１          飲料供給装置
５          飲料ボトル
１０        筐体
１０ａ      正面
１０ａ１    筐体開口
１０ｂ      側面
１０ｃ      側面
１１        化粧パネル
１２        膨出部
１３        傾斜壁部
１４        縦壁部
１５        ドリップトレイ
１６        ボトル載置部
２０        給水ノズル
２１        保護カバー
３０        操作パネル
３１        パネル操作部
３１ａ      ジョグダイヤル
３１ｂ      給水決定スイッチ
３１ｃ      ロック解除スイッチ
３２        表示部
３２ａ      冷水表示部
３２ｂ      温水表示部
３２ｃ      常温水表示部
３２ｄ      省エネ表示部
３２ｅ      クリーニング表示部
３２ｆ      加熱表示部
３２ｇ      水分補給表示部
３５        第２給水スイッチ
３６        完全ロックスイッチ
３７        ヒーター制御スイッチ
４０        ヒーター
４２        温水温度センサー
４５        冷却機構
４７        冷水温度センサー
６０        電磁弁
７０        音声出力部
８０        制御装置
８１        制御部
８２        記憶部
Ｓ          給水空間
【図１】
2020063055.tif 000003
【図２】
2020063055.tif 000004
【図３】
2020063055.tif 000005
【図４】
2020063055.tif 000006
【図５】
2020063055.tif 000007
【図６】
2020063055.tif 000008
【図７】
2020063055.tif 000009
【図８】
2020063055.tif 000010